(57)【要約】      （修正有）【課題】天板と左右の側板を一体化したコの字型の本体を、足首により確実に装着できるようにし、また、本体を組立・分解できるようにする正座補助椅子を提供する。【解決手段】着座者の左右のそれぞれの足首に、天板１と左右の側板２を一体化したコの字型の本体と伸縮性マジックベルト３とにより本体の開口部を塞いだ正座補助椅子１００を装着し、正座した時に天板１が座面となるようにした。また、本体の天板１と左右の側板２を差込み方式と、はめ込み方式に区分して組立・分解できるようにした。【選択図】図１
0003220852.tif 000002
【実用新案登録請求の範囲】
【請求項１】
着座者の左右のそれぞれの足首に、天板と左右の側板を一体化したコの字型の本体と伸縮性マジックベルトとにより本体の開口部を塞いだ椅子を装着し、正座した時に天板が座面となるようにした正座補助椅子。
【請求項２】
請求権１の本体の天板と左右の側板を組立・分解できるようにした正座補助椅子。
【考案の詳細な説明】
【技術分野】
【０００１】  本考案は、足首に装着する正座補助椅子に関するものである。
【背景技術】
【０００２】  正座補助椅子に関する発案は多数ある中で、天板と左右の側板を一体化したコの字型の本体に関しては、特許文献１に示したものが知られているが、一体化したものを組立・分解できる形態にしたものは見受けられない。特許文献１のものは、右側部と左側部とが天井部で連結されているコの字型の本体と、右側部と左側部の各内面に設けられたクッションを有する一対の部分椅子を、右側部と左側部との間にクッションを介して正座者の両ふくらはぎを挟み込む様にそれぞれを装着し、これらの天井部を正座者の座面となるようにしたものである。この発案は手軽に、周囲に気づかれることなく使用出来る利点はあるが、装着に関して、正座椅子を装着して歩行した場合に正座椅子がズリ落ちたり、回転する可能性がある。また、階段を降りる時に正座椅子が階段に接触することが考えられ安全面で配慮をする必要がある。
【先行技術文献】
【特許文献】
【０００３】
【特許文献１】実用新登録第３２１７７０６号（Ｕ３２１７７０６）
【考案の概要】
【考案が解決しようとする課題】
【０００４】  本体を足首に、より確実に装着できるようにする。【０００５】  本体を差込み方式と、はめ込み方式に区分して組立・分解できるようにする。
【課題を解決するための手段】
【０００７】  本体の開口部を塞ぐことが正座補助椅子のズリ落ちや回転を防ぐ第一歩であり、足の中で最も細い足首に密着させることが重要な要素である。本考案は、天板と左右の側板を一体化したコの字型の本体の開口部を伸縮性マジックベルト用い天板を介して左右の側板の孔に通し接着して塞ぐ。伸縮性マジックベルトの弾力を活用し、本体を足首（アキレス腱側）に装着して密着性を高める。これは結果的には安全歩行に寄与する。【０００８】  本体の天板と左右の側板とを差込み方式と、はめ込み方式とに区分して、組立・分解できるようにする。はめ込み方式の連結部分には抜き差しできる心棒となるピンを通す。
【考案の効果】
【０００９】  装着をより確実なものにするためには、開口部を塞ぐ形にして、本体を足の中で最も細い足首（アキレス腱側）と密着させることが必須であり、伸縮性マジックベルトを用いることにより着座者に違和感を与えることなく足首（アキレス腱側）と本体との密着性を高めることができ、本体の回転やズレを防止することができる。アキレス腱側に密着させるもう一つの効果は、本体を踵よりはみ出す部分を小さくすることができ、着座者は安全に歩行することができる。伸縮性マジックベルトを用いての装着は、完全固定でないため正座した時に足首に自由度を与え、アキレス腱側に空間を作ることができ、最も足の「しびれ」の原因となる足首に正座補助椅子を装着する効果は極めて高い。【００１０】組立・分解する最大の利点は、コンパクトにして携帯できることである。
本体の天板と側板を差込み方式、はめ込み方式とすることにより、組立・分解が可能となり、前述［０００９］の効果も満たし、未使用時には本体を分解して重ね、伸縮性マジックベルトで留めて、コンパクトにして携帯することができる。はめ込み方式の連結部分にピンを通すことにより本体が補強され、安定性を高めることができる。
【図面の簡単な説明】
【００１１】
【図１】全体の外観図
【図２】全体の正面図
【図３】一体化した本体の正面図
【図３ａ】一体化した本体の天板から見た図
【図３ｂ】一体化した本体の側板から見た図
【図４】伸縮性マジックベルトのフック側の表面図（点線は背面のループ）
【図５】組立・分解（差込み方式）本体の正面図
【図５ａ】組立・分解（差込み方式）本体の天板図
【図５ｂ】組立・分解（差込み方式）本体の側板図
【図６】組立・分解（はめ込み方式）本体の正面図
【図６ａ】組立・分解（はめ込み方式）本体の天板図
【図６ｂ】組立・分解（はめ込み方式）本体の側板図
【図７】はめ込み方式の連結部分に通すピン
【図８】正座補助椅子を足首に装着して立った状態を背後から見た図
【図８ａ】正座補助椅子を足首に装着して立った状態を前面から見た図
【図９】正座補助椅子を装着した状態で正座した時の側面及び背後から見た図
【図１０】大腿下部から下の人の足の姿図（足首、ふくらはぎ、踵とアキレス腱側の間隙）
【考案を実施するための形態】
【００１２】  正座した時の足の「しびれ」は、体重が足首や膝にかかることにより、神経を圧迫したり血流が悪くなることが原因といわれている。したがって、足首とふくらはぎにゆとり、即ち僅かな間隙を取ることにより「しびれ」から解放される。標準的な足首とふくらはぎの太さは身長と関係があるといわれており、身長１５０〜２００ｃｍでは、足首回りは１８〜２４ｃｍ（直径にして６〜８ｃｍ相当）、ふくらはぎ回りは３０〜４０ｃｍ（直径にして１０〜１３ｃｍ相当）である。本考案は、請求権１及び２とも、左右のそれぞれの足首に適度な幅と高さの本体を伸縮性マジックバンドで装着する形態にする。請求権１は本体が一体化したものを、請求権２は本体を組立・分解できるものを提供するものである。
【実施例】
【００１３】  以下、添付図面に従って一事例を説明する。請求権１の構成は、図３で示す本体１０と図４で示す伸縮性マジックベルトで成りたち、図１で示すように天板１と左右の側板２とを一体化したコの字型の本体１０に、伸縮性マジックベルト３を天板１を介して左右の側板２の孔２２に通して輪にして開口部でフック３１とループ３２とを接着した一対の正座補助椅子１００である。これを足首に装着した時の状態を図８及び８ａに、正座した時の状態を図９に示す。図３に示す本体１０は、木材又は耐久性のプラスチックなどを適宜素材として、左右の側板２には安定性を高めるために足２１を設け、伸縮性マジックベルト３を通す孔２２を施す。左右の側板２の孔２２の高さＨａは、天板１の底部から足首の
0003220852.tif 000003
密着を高める。左右の側板２の間隔Ｌａ及び天板１底部と床面との高さＨｂは、前述［０
0003220852.tif 000004
それぞれ適合させる。天板１及び左右の側板２の幅は、左右の側板の間隔Ｌａに準じる。天板１の厚さは、図１０に示すように人が直立した時の踵と足首（アキレス腱側）との間
0003220852.tif 000005
る。左右の側板２の厚みもこれに準じる。身体が接する天板１の上下及び左右の側板２の前後には面取りを施し、特に座面となる天板１の上部は十分に行う。図４に示す伸縮性マジッククベルト３の幅Ｌｂは、側板２の幅Ｌａの３分の１程度のものとする。伸縮性マジックベルト３は、天板１を介して左右の側板２の孔２２に通し開口部でループ３２にフック３１を接着させ、天板１、左右の側板２及び伸縮性マジックベルト３とで囲まれた空間図１の４に、着座者が足首を入れた時に適度な張力をもった長さとする。更に、装着を確実にするために伸縮性マジックベルト３のフック３１の長さをループ３２の２倍程度長くし、余った部分を身体に着けている靴下等（ループ相当）に接着させるようにする。装着手順の例は以下のとおりである。図１に示すように、伸縮性マジックベルト３を天板１を介して左右の側板２の孔２２に通しループ３２とフック３１を開口部で接着させた正座補助椅子１００を暫定仕上をする。着座者は、図８に示すように天板１が足首の背後（アキレス腱側）になるようにして、図１に示す空間４に足先から足を潜らせ、図８ａに示すようにくるぶしの上部足首の前面（脛側）に留めて、改めて天板１と伸縮性マジックベルト３の密着具合を考慮しながらループ３２とフック３１を再接着させる。この時フックの余った部分を身体に着けている靴下等に接着させ、正座補助椅子１００のズリ落ち、回転防止に資する。これにより［０００９］で述べたように装着を確実なもにすることができる。座面となる天板１の上面に施す十分な面取りは大腿部から臀部にかけての当りを和らげ、着座者の負担を軽減することができる。装着位置を足首にしたことにより、本体１０を小型化（軽量化）することでき、本体１０の周囲寸法は身長１５０〜２００ｃｍで、仮
0003220852.tif 000006
、裾広の袴等は勿論のことズボン内にも装着することが可能となる。特に、長時間の正座を余儀なされる能楽に於いて、着座者はあらかじめ袴内に装着し舞台に上がり、装着していることを周囲に気付かれることなく姿勢よく正座できる。衣服内に装着せずとも着座する時に衣服の上から正座補助椅子１００を足首部位に当てはめるだけで利用できる。個人差のある足首やふくらはぎの太さに対応させて大中小などに区分して提供することもできる。【００１４】  差し込み方式は、本体図３の１０を図５ａ及び５ｂに示すように天板１の凹部１１に左右の側板２の凸部２３を差込み、組立・分解できるようにしたものである。天板１の凹部１１及び左右の側板２の凸部２３の幅Ｌｃは側板２の幅Ｌａの３分の１とし、天板１の凹部
0003220852.tif 000007
手順は、天板１に左右の側板２を差込んで本体１０ａを組立て、その後は、［００１３］に準じる。使用後は伸縮性マジックベルト３の接着を解き、本体１０ａを分解して重ね、それを伸縮性マジックベルト３で留める。【００１５】  はめ込み方式は、本体図の３の１０を図６ａ及び６ｂに示したように、天板１の凹部１２に左右の側板２の凸部２４をはめ込み、天板１と左右の側板２が連結する部分にそれぞれ孔１２１を施し、本体１０ｂの安定性を高めるために抜き差しできる心棒となるピン図７の５を通したものである。ピン５は、心棒にするに適度な強度を持つ木・竹材や金属などを適
0003220852.tif 000008
しがし易いように適当な大きさのつまみ５１をピン５の片方に付ける。装着手順は、天板１に左右の側板２をはめ込み、連結部分の孔１２１にピン５を通して本体１０ｂを組立て、その後は、［００１３］に準じる。使用後は、伸縮性マジックベルト３の接着を解き、ピン５を抜いて本体１０ｂを分解して重ね、それを伸縮性マジックベルト３で留めて、抜いたピン５は紛失防止のため天板の両側の孔１２１に戻しておく。
【産業上の利用可能性】
【００１６】  足の「しびれ」は辛いものであり、これまでにも正座に関する補助椅子の発案が多い。身近な例として、長時間正座をする能楽においては、囃子方、地謡方や仕舞・謡を習う多数の弟子などの需要が見込まれる。その他、座しての習いごと長唄、三味線など、儀式（例えば、葬儀）などの実生活面においても広くが需要が見込まれる。
【符号の説明】
【００１７】１      天板
１０    本体
１０ａ  差込み方式本体
１０ｂ  はめ込み方式本体
１００  正座補助椅子
１１    図５ａの天板凹部（差込み方式）
１２    図６ａの天板凹部（はめ込み方式）
１２１  図６、６ａ、６ｂの天板凸部及び側板凸部にピン５を通す孔
２      側板
２１    側板に設けた足
２２    側板に施した孔
２３    図５ｂの側板凸部（組立・分解：差込み方式）
２４    図６ｂの側板凸部（組立・分解：はめ込み方式）
３      伸縮性マジックベルト
３１    伸縮性マジックベルトのフック
３２    伸縮性マジックベルトのループ
４      図１、２の天板、左右の側板、伸縮性マジックベルトで囲まれた空間
５      図７の天板と側板に通すピン
５１    図７のピンの片方に付けたつまみ
Ｈａ    図３、３ａ、３ｂの側板に施す孔の天板底部からの下がり高さ
Ｈｂ    図３、３ｂの天板底面の高さ
Ｌａ    図３、３ａ、３ｂの左右の側板間の間隔
Ｌｂ    図４の伸縮性マジックベルトの幅
Ｌｃ    図５ａ、５ｂの天板凹部及び側板凸部の幅
Ｌｄ    図５ａ、５ｂの天板凹部及び側板凸部の厚み幅
Ｌｅ    図７のピンの直径
0003220852.tif 000009
【図１】
0003220852.tif 000010
【図２】
0003220852.tif 000011
【図３】
0003220852.tif 000012
【図３ａ】
0003220852.tif 000013
【図３ｂ】
0003220852.tif 000014
【図４】
0003220852.tif 000015
【図５】
0003220852.tif 000016
【図５ａ】
0003220852.tif 000017
【図５ｂ】
0003220852.tif 000018
【図６】
0003220852.tif 000019
【図６ａ】
0003220852.tif 000020
【図６ｂ】
0003220852.tif 000021
【図７】
0003220852.tif 000022
【図８】
0003220852.tif 000023
【図８ａ】
0003220852.tif 000024
【図９】
0003220852.tif 000025
【図１０】
0003220852.tif 000026
【手続補正書】
【提出日】平成31年1月25日(2019.1.25)
【手続補正１】
【補正対象書類名】実用新案登録請求の範囲
【補正対象項目名】請求項２
【補正方法】変更
【補正の内容】
【請求項２】
請求項１に記載の正座補助椅子において、本体の天板と左右の側板を組立・分解できるようにしたことを特徴とする正座補助椅子。